(57)【特許請求の範囲】
【請求項１】
第１の流路と略垂直に連通する第２の流路内から前記第１の流路内に向けて流出する液体の流れを規制する流れ規制装置において、
前記第２の流路内に嵌入される流速規制用筒状部材から成り、
前記流速規制用筒状部材は、前記第２の流路内の液体が前記第１の流路内へ流出する箇所としての出口部に向かって前記第２の流路の流路断面積を徐々にあるいは段階的に広げるように構成されたものであることを特徴とする流れ規制装置。
【請求項２】
前記第１の流路は、前記第２の流路よりも流路断面積が大きいものであり、前記流速規制用筒状部材は、前記出口部から一定以上離れた箇所に配置されかつその中空通路部の通路断面積が前記第２の流路の流路断面積よりも小さく設定されたものであることを特徴とする請求項１記載の流れ規制装置。
【請求項３】
第１の流路と略垂直に接続された第２の流路内から前記第１の流路内に向けて流出する液体の流れを規制する流れ規制装置において、
前記第２の流路の前記第１の流路と接続される側の出口部にその一端部が嵌入される第１の筒状部材と、前記第１の筒状部材の他端部に当該第１の筒状部材と垂直に設けた第２の筒状部材であって前記第１の流路内に突出するように配置されるものとから成り、
前記第１の筒状部材の中空通路部と前記第２の筒状部材の中空通路部とはＴ型に連通しており、
前記第２の筒状部材の中空通路部が前記第１の流路と平行な向きになるように配置されていることを特徴とする流れ規制装置。
【請求項４】
前記第２の筒状部材の軸方向に延びる横幅を、前記第２の流路の前記第１の流路と接続される側の出口部の外径よりも小さく設定し、
前記第１の流路内に突出する前記第２の筒状部材の配置を、該第２の筒状部材の中空通路部の軸心が前記第１の流路の軸心よりも前記出口部に近い位置に設定することを特徴とする請求項３記載の流れ規制装置。
【請求項５】
前記第２の筒状部材の中空通路部は、その通路断面積が前記第１の流路の流路断面積よりも小さく、かつ前記第１の筒状部材の中空通路部の通路断面積よりも大きく設定されていることを特徴とする請求項３または４記載の流れ規制装置。
【発明の詳細な説明】
【０００１】
【発明の属する技術分野】
本発明は、第１の流路と略垂直に連通する第２の流路内から前記第１の流路内に向けて流出する液体の流れを規制する流れ規制装置に関する。
【０００２】
【従来の技術】
給湯機では、通常、熱交換器を経由した後の湯に、まだ加熱されていない給水を直接混合するために、熱交換器の出側に接続された出湯パイプ１０２と熱交換器の入側に接続された給水パイプ１０３とをバイパスパイプ１０４によって接続している。
【０００３】
バイパスパイプ１０４の出口部には、図８に示すような筒状の流量規制部材１１０を図９および図１０に示すように嵌入してあり、これによってバイパスパイプ１０４を流れる給水の流量を規制し、加熱後の湯と未加熱の給水との混合比（バイパス比）を適宜の値に設定するようになっている。
【０００４】
【発明が解決しようとする課題】
筒状の流量規制部材１１０内の中空通路１１１（図８）の通路断面積は、当然にバイパスパイプ１０４の流路断面積よりも小さいので、流量規制部材１１０の出口部から出湯パイプ１０２内へ流出する給水の流速は大きくなる。このため、流量規制部材１１０の出口部から勢い良く流出した給水が出湯パイプ１０２の内壁のうち流量規制部材１１０の出口部と対向する部分１０５に突き当たり、長い期間を経るうちに、流量規制部材１１０の当該箇所１０５に穴があいてしまうことがある。
【０００５】
また、バイパスパイプ１０４を出湯パイプ１０２にロー付けで接合する際に、ロー材がバイパスパイプ１０４と出湯パイプ１０２の隙間から出湯パイプ１０２内に入り込み、すぐ近くにある流量規制部材１１０の中空通路１１１を塞いでしまう場合がある。
【０００６】
さらに、中空通路１１１よりも出湯パイプ１０２の流路断面積が大きいので、バイパスパイプ１０４の出口部付近で急激に圧力が発散され、キャビテーション（多数の気泡が発生し、これが潰れる現象）が発生するという問題がある。
【０００７】
本発明は、このような従来の技術が有する問題点に着目してなされたもので、バイパス流路から合流する液体によって本流側のパイプに穴のあくことを防止することのできる流れ規制装置を提供することを目的としている。
【０００８】
【課題を解決するための手段】
かかる目的を達成するための本発明の要旨とするところは、次の各項の発明に存する。
［１］第１の流路（１２）と略垂直に連通する第２の流路（１４）内から前記第１の流路（１２）内に向けて流出する液体の流れを規制する流れ規制装置において、
前記第２の流路（１４）内に嵌入される流速規制用筒状部材（２１、２２、４１、５１）から成り、
前記流速規制用筒状部材（２１、２２、４１、５１）は、前記第２の流路（１４）内の液体が前記第１の流路（１２）内へ流出する箇所としての出口部（１４ａ）に向かって前記第２の流路（１４）の流路断面積を徐々にあるいは段階的に広げるように構成されたものであることを特徴とする流れ規制装置。
【０００９】
［２］前記第１の流路（１２）は、前記第２の流路（１４）よりも流路断面積が大きいものであり、前記流速規制用筒状部材（４１）は、前記出口部（１４ａ）から一定以上離れた箇所に配置されかつその中空通路部（４２）の通路断面積が前記第２の流路（１４）の流路断面積よりも小さく設定されたものであることを特徴とする［１］記載の流れ規制装置。
【００１０】
［３］第１の流路（１２）と略垂直に接続された第２の流路（１４）内から前記第１の流路（１２）内に向けて流出する液体の流れを規制する流れ規制装置において、
前記第２の流路（１４）の前記第１の流路（１２）と接続される側の出口部（１４ａ）にその一端部が嵌入される第１の筒状部材（２１）と、前記第１の筒状部材（２１）の他端部に当該第１の筒状部材（２１）と垂直に設けた第２の筒状部材（２２）であって前記第１の流路（１２）内に突出するように配置されるものとから成り、
前記第１の筒状部材（２１）の中空通路部（２３）と前記第２の筒状部材（２２）の中空通路部（２４）とはＴ型に連通しており、
前記第２の筒状部材（２２）の中空通路部（２４）が前記第１の流路（１２）と平行な向きになるように配置されていることを特徴とする流れ規制装置。
【００１１】
［４］前記第２の筒状部材（２２）の軸方向に延びる横幅を、前記第２の流路（１４）の前記第１の流路（１２）と接続される側の出口部（１４ａ）の外径よりも小さく設定し、
前記第１の流路（１２）内に突出する前記第２の筒状部材（２２）の配置を、該第２の筒状部材（２２）の中空通路部（２４）の軸心が前記第１の流路（１２）の軸心よりも前記出口部（１４ａ）に近い位置に設定することを特徴とする［３］記載の流れ規制装置。
［５］前記第２の筒状部材（２２）の中空通路部（２４）は、その通路断面積が前記第１の流路（１２）の流路断面積よりも小さく、かつ前記第１の筒状部材（２１）の中空通路部（２３）の通路断面積よりも大きく設定されていることを特徴とする［３］または［４］記載の流れ規制装置。
【００１２】
前記本発明は次のように作用する。
オリフィスとして機能する流速規制用筒状部材（４１、５１）を第２の流路（１４）内に嵌入することにより、第２の流路（１４）の流路断面積が、前記第１の流路（１２）内へ液体が流出する箇所としての出口部（１４ａ）に向かって除々にあるいは段階的に広がるので、これに伴って、液体の流速が徐々にあるいは段階的に低下し、第２の流路（１４）の出口部（１４ａ）から第１の流路（１２）内へ流出する際の勢いが衰え、第１の流路（１２）のうち第２の流路（１４）の出口部（１４ａ）と対向する部分に穴のあくことが防止される。また、第２の流路（１４）から第１の流路（１２）への圧力拡散が徐々にあるいは段階的に行われるので、キャビテーションが発生しなくなる。
【００１３】
さらに、第２の流路（１４）の流路断面積がその出口部（１４ａ）に向かって徐々にあるいは段階的に広がっているので、流路断面積の小さい箇所と出口部（１４ａ）との間の距離が確保される。その結果、第２の流路（１４）を第１の流路（１２）にロー付けする際に、これらの隙間からロー材が入り込んでも、これが流路断面積の小さい箇所まで至ることがなく、流路の詰まりが防止される。
【００１４】
第１の流路（１２）の流路断面積が第２の流路（１４）のそれよりも大きいものでは、流速規制用筒状部材（２１、２２、４１、５１）を、その中空通路部（４２）の通路断面積を第２の流路（１４）の流路断面積よりも小さく設定し、かつこれを第２の流路（１４）の出口部（１４ａ）から一定以上離れた箇所に配置する。
【００１５】
これにより、第２の流路（１４）のうち出口部（１４ａ）までの間に存する部分へ流速規制用筒状部材（４１）の中空通路部（４２）から液体が流出する際に流速が一度低下するので、出口部（１４ａ）から第１の流路（１２）内へ流出する際の勢いが衰え、第１の流路（１２）に穴のあくことが防止される。
【００１６】
また、流速規制用筒状部材（４１）の中空通路から第２の流路（１４）へ流出するときと、第２の流路（１４）から第１の流路（１２）へ流出するときの２段階に圧力拡散が行われるので、キャビテーションの発生を防ぐことができる。さらに、流路断面積の小さい流速規制用筒状部材（４１）が、第２の流路（１４）の出口部（１４ａ）から離れた箇所に配置されているので、ロー材による穴つまりが防止される。
【００１８】
第２の流路（１４）の出口部（１４ａ）にその一端部が嵌入される第１の筒状部材（２１）と、第１の筒状部材（２１）の他端部に当該第１の筒状部材（２１）と垂直に設けた第２の筒状部材（２２）であって第１の流路（１２）内に突出するように配置されるものとで流れ規制装置を構成したものでは、Ｔ型に連通している第１の筒状部材（２１）の中空通路部（２３）から第２の筒状部材（２２）の中空通路部（２４）へ流出する際と、第２の筒状部材（２２）の中空通路部（２４）から第１の流路（１２）内へ流出する際の２段階に分けて流速の低下と圧力拡散とが行われ、キャビテーションの発生が防止される。
【００１９】
また第１の筒状部材（２１）の中空通路部（２３）と第２の筒状部材（２２）の中空通路部（２４）とがＴ型に連通しているので、第１の筒状部材（２１）の中空通路部（２３）から第２の筒状部材（２２）の中空通路部（２４）へ流出した液体の進行方向が、第２の筒状部材（２２）によって第１の流路（１２）と平行な向きに変更されるので、第２の筒状部材（２２）から第１の流路（１２）へと流出する液体が直接、第１の流路（１２）の内壁に衝突しなくなり、潰食による穴あきが防止される。
【００２０】
また、第２の流路（１４）と第１の流路（１２）との接合箇所と、通路断面積の小さい第１の筒状部材の中空通路部（２３）との間の距離が確保されるので、中空通路部（２４）へのロー材の回り込みを防止することができる。
【００２１】
【発明の実施の形態】
以下、図面に基づき本発明の各種実施の形態を説明する。
図２は、本発明に係る流れ規制装置２０を具備した給湯機１０の一例を示している。給湯機１０では、熱交換器１１を経由した後の湯に、まだ加熱されていない給水を直接混合するために、熱交換器１１の出側に接続された出湯パイプ１２と熱交換器１１の入側に接続された給水パイプ１３とをバイパス通路１４によって接続してあり、当該バイパス通路１４の出湯パイプ１２側の出口部近傍に流れ規制装置２０が嵌入されている。
【００２２】
流れ規制装置２０の、本来の目的は、バイパス通路１４から出湯パイプ１２へ流れ込む給水の流量を制限し、加熱後の湯と未加熱の給水との混合比（バイパス比）を適宜の値に設定することにある。
【００２３】
図１、図３および図４に示すように流れ規制装置２０は、バイパス通路１４の出湯パイプ１２と接続される側の出口部１４ａにその一端部が嵌入された第１筒状部２１と、第１筒状部２１の他端部に当該第１筒状部２１と垂直に接合された第２筒状部２２とから構成されている。第２筒状部２２は、出湯パイプ１２内に突出している。また第１筒状部２１の中空通路部２３と第２筒状部２２の中空通路部２４とはＴ型に連通している。
【００２４】
第２筒状部２２の中空通路部２４は、出湯パイプ１２と平行な向きになっている。また第２筒状部２２の中空通路部２４は、その通路断面積が出湯パイプ１２の流路断面積よりも小さく、かつ第１筒状部２１の中空通路部２３の通路断面積よりも大きく設定されている。
【００２５】
流れ規制装置２０は、快削りん青銅で形成されており、第１筒状部２１の中空通路部２３の直径は約３ミリ、第２筒状部２２の中空通路部２４の直径は約５ミリになっている。なお、バイパス通路１４の内径は約６ミリ、出湯パイプ１２の内径は約１５ミリになっている。
【００２６】
流れ規制装置２０は、各図に示すように、第１筒状部２１の端部がバイパス通路１４の出口部１４ａに略２．６ミリ圧入されている。その後、バイパス通路１４と出湯パイプ１２とがロー付けされ、図１等に示す状態が形成される。
【００２７】
次に作用を説明する。
出湯パイプ１２内には、図１の破線矢印３１で示すように液体が流れている。バイパス通路１４から出湯パイプ１２側に向かって流れる液体は、破線矢印３２に示すように、第１筒状部２１の中空通路部２３から第２筒状部２２の中空通路部２４を経て出湯パイプ１２内へと流れる。この際、第１筒状部２１の中空通路部２３の通路断面積がバイパス通路１４の流路断面積よりも小さいので、ここを通過する際に、液体の流速は速くなる。
【００２８】
しかしながら、第１筒状部２１の中空通路部２３から第２筒状部２２の中空通路部２４へ液体が流出すると、第１筒状部２１の中空通路部２３よりも第２筒状部２２の中空通路部２４の方が流路断面積が大きいので、ここでまず、第１段階の減速および圧力拡散が生じる。続いて、第２筒状部２２の中空通路部２４から出湯パイプ１２へと流出する際に、第２筒状部２２の中空通路部２４よりも出湯パイプ１２の方が流路断面積が大きいので、第２段階の減速および圧力拡散が行われる。
【００２９】
このように、２段階にわたって減速および圧力拡散が成されて液体が出湯パイプ１２内に合流するので、急激な圧力拡散が起こらず、キャビテーションの発生が防止される。また、第１筒状部２１の中空通路部２３から第２筒状部２２の中空通路部２４に流出した液体は、出口部１４ａと対向する箇所にある第２筒状部２２の内壁によって流れの方向が規制されるとともに、破線矢印３１の方向に流れる出湯パイプ１２内の液体に押され、流れの向きを破線矢印３１と同一の方向に変える。その結果、バイパス通路１４側から出湯パイプ１２内へ流出した液体が直接、出湯パイプ１２の内壁に衝突しなくなり、潰食による出湯パイプ１２の穴あきが防止される。
【００３０】
図１等に示すように第２筒状部２２が出湯パイプ１２内に、ある程度突出し、第２筒状部２２の開口部分が出口部１４ａから離れている。従って、バイパス通路１４と出湯パイプ１２とをロー付けする際に、これらの隙間からロー材が出湯パイプ１２内に入り込んでも、これが第２筒状部２２の中空通路部２４へ侵入して流路断面積の小さい第１筒状部２１の中空通路部２３まで至ることがなく、流路の詰まりが防止される。
【００３１】
図５および図６は、本発明の第２の実施の形態を示している。第２の実施の形態に係る流れ規制装置２０ｂは、バイパス通路１４内に嵌入される流速規制用筒状部材４１から成り、当該流速規制用筒状部材４１は、バイパス通路１４の出口部１４ａから一定以上離れた箇所に配置されている。流速規制用筒状部材４１は、図８に示すものと同様に、内部に中空通路部４２を有する筒型形状を成しており、その通路断面積はバイパス通路１４の流路断面積よりも小さく設定されている。
【００３２】
ここでは、流速規制用筒状部材４１の長さは約５ミリで、外径は約６．６ミリ、中空通路部４２の直径は約３．７５ミリに設定されている。なおバイパス通路１４および出湯パイプ１２の大きさは、第１の実施の形態で示したものと同一である。
【００３３】
バイパス通路１４から出湯パイプ１２側に向かって流れる液体は、図６の破線矢印３３に示すように流れる。この際、中空通路部４２の通路断面積がバイパス通路１４の流路断面積よりも小さいので、流速規制用筒状部材４１と出口部１４ａとの間の通路部１４ｂへ中空通路部４２から液体が流出した際に、まず第１段階の減速および圧力拡散が生じる。続いて、通路部１４ｂから出湯パイプ１２へ流出する際に、バイパス通路１４よりも出湯パイプ１２の方が流路断面積が大きいので、第２段階の減速および圧力拡散が行われる。
【００３４】
このように、流速規制用筒状部材４１を出口部１４ａからある程度離して配置することによって、２段階にわたる減速および圧力拡散が行われて液体が出湯パイプ１２内へ合流するので、急激な圧力拡散が起こらず、キャビテーションの発生が防止される。また、２段階に流速が減速されるので、出口部１４ａから出湯パイプ１２内へ流出する際の勢いが衰え、出湯パイプ１２のうちバイパス通路１４の出口部１４ａと対向する部分１２ａに穴のあくことが防止される。
【００３５】
さらに、流速規制用筒状部材４１がバイパス通路１４の出口部１４ａから一定以上離れて配置されるので、流路断面積の小さい中空通路部４２と出口部１４ａとの間の距離が確保され、出湯パイプ１２とバイパス通路１４とをロー付けする際に、これらの隙間からロー材が入り込んでも、当該ロー材が中空通路部４２まで至ることはほとんどなく、流路の詰まりが防止される。
【００３６】
図７は、本発明の第３の実施の形態を示している。第３の実施の形態に係る流れ規制装置２０ｃは、バイパス通路１４内に嵌入される流速規制用筒状部材５１から成る。流速規制用筒状部材５１は、出口部１４ａからバイパス通路１４内にそれらの端部がほぼ面一になるまで嵌入される。
【００３７】
流速規制用筒状部材５１は、液体を流す流路としての中空通路部５２を有している。中空通路部５２は、出口部１４ａの反対側の端部からの所定長は、その直径が比較的細く、その後、出口部１４ａ側の端部に向かって徐々に直径が広がるようにテーパが付けてある。
【００３８】
バイパス通路１４から出湯パイプ１２側に向かって流れる液体は、図７の破線矢印３４に示すように流れる。この際、中空通路部５２の通路断面積は、出口部１４ａに近づくにつれて徐々に大きくなるので、出口部１４ａに向かって流れる液体の流速は除々に低下し、また圧力拡散も徐々に行われる。その結果、バイパス通路１４から出湯パイプ１２へ流れ込む際に急激な圧力拡散が起こらず、キャビテーションの発生が防止される。また、テーパのついた中空通路部５２を流れる間に、徐々に流速が減速されるので、出口部１４ａから出湯パイプ１２内へ流出する際の勢いが衰え、出口部１４ａから流出する液体が、対向する部分１２ａの内壁に直接当たらなくなり、当該箇所が潰食され穴のあくことが防止される。
【００３９】
さらに、中空通路部５２の流路断面積が出口部１４ａに向かって徐々に広がっているので、流路断面積の小さい箇所５２ａと出口部１４ａとの間の距離が確保される。その結果、出湯パイプ１２とバイパス通路１４とをロー付けする際に、これらの隙間からロー材が出湯パイプ１２内に入り込んでも、これが中空通路部５２のうち流路断面積の小さい箇所５２ａまで至ることはほとんどなく、流路の詰まりが防止される。
【００４０】
以上説明した各実施の形態では、流れ規制装置２０、２０ｂ、２０ｃをバイパス通路１４と別部材で構成してバイパス通路１４内に嵌入するようにしたが、これらの機能を備えるようにバイパス通路１４自体を形成してもよい。たとえば、バイパス通路１４のうち、第２の実施の形態に係る流れ規制装置２０ｂを配置すべき箇所の内径を部分的に細くするようにすれば良い。このほか、実施の形態で示した直径等は例示であり、互いの大小関係が実施の形態のように確保されれば、本発明の効果を得ることができる。
【００４１】
また、各実施の形態では、給湯機の出湯パイプ１２とバイパス通路１４との合流箇所に流れ規制装置２０を配置するようにしたが、一の流路に他の一の流路が略直角に接続され、他の一の流路側から一の流路に液体が流れ込む箇所であれば良く、例示したものに限定されるものではない。
【００４２】
なお、第１の流路のぶつかる面に、網等をロー付けすることによっても、穴あきを防止し得るが、第２の流路を第１の流路にロー付けする際に、第１の流路側も加熱されるので、この網が取れてしまう可能性がある。また、取れそうになっていても、それを見つけることができない。つまり、網等ではなく、本発明のような流れ規制装置を用いれば、第２の流路と第１の流路とをロー付けするときに流れ規制装置が動いてしまう等の不良が起こらずに安定した装着が可能で、流れ規制装置の有する効果を確実に得ることができる。
【００４３】
【発明の効果】
本発明にかかる流れ規制装置によれば、これを第２の流路に嵌入することで、第２の流路から第１の流路内へ液体が流れ込む箇所としての出口部に向かって第２の流路の流路断面積が徐々にあるいは段階的に広がるようになる。その結果、液体の流速が徐々にあるいは段階的に低下し、第２の流路の出口部から第１の流路内へ流出する際の勢いが衰え、第１の流路のうち第２の流路の出口部と対向する部分に穴のあくことが防止される。また、第２の流路から第１の流路への圧力拡散が徐々にあるいは段階的に行われるので、キャビテーションが発生しなくなる。
【００４４】
さらに、第２の流路の流路断面積がその出口部に向かって徐々にあるいは段階的に広がっているので、流路断面積の小さい箇所と出口部との間の距離が確保され、第２の流路と第１の流路とをロー付けする際に、これらの隙間からロー材が第１の流路内に入り込んでも、これが流れ規制装置２０のうち流路断面積の小さい部分まで至ることがほとんどなく、流路の詰まりが防止される。
【００４５】
また、第１の筒状部材と第２の筒状部材とで流れ規制装置を構成したものでは、Ｔ型に連通している第１の筒状部材の中空通路部から第２の筒状部材の中空通路部へ流出する際と、第２の筒状部材の中空通路部から第１の流路内へ流出する際の２段階に分けて流速の低下と圧力拡散とが行われ、キャビテーションの発生が防止される。また、第１の筒状部材の中空通路部から第２の筒状部材の中空通路部へ流出した液体の進行方向が、第２の筒状部材によって第１の流路と平行な向きに変更されるので、第２の筒状部材から第１の流路へと流出する液体が直接、第１の流路の内壁に衝突しなくなり、潰食による穴あきが防止される。
【図面の簡単な説明】
【図１】本発明の第１の実施の形態に係る流れ規制装置を流路に装着した状態の側面を示す断面図である。
【図２】本発明の一実施の形態に係る流れ規制装置を適用した給湯機の構成を示す説明図である。
【図３】本発明の一実施の形態に係る流れ規制装置を流路に装着した状態の正面を示す断面図である。
【図４】本発明の第１の実施の形態に係る流れ規制装置をバイパス通路の出口部に装着する状態を示す説明図である。
【図５】本発明の第２の実施の形態に係る流れ規制装置を流路に装着した状態の正面を示す部分断面図である。
【図６】本発明の第２の実施の形態に係る流れ規制装置を流路に装着した状態の側面を示す断面図である。
【図７】本発明の第３の実施の形態に係る流れ規制装置を流路に装着した状態の側面を示す断面図である。
【図８】従来から使用されている流量規制部材を示す説明図である。
【図９】従来から使用されている流量規制部材を流路に装着した状態の正面を示す部分断面図である。
【図１０】従来から使用されている流量規制部材を流路に装着した状態の側面を示す部分断面図である。
【符号の説明】
１０…給湯機
１１…熱交換器
１２…出湯パイプ
１２ａ…対向する部分
１３…給水パイプ
１４…バイパス通路
１４ａ…出口部
１４ｂ…通路部
２０…流れ規制装置
２０ｂ…第２の実施の形態に係る流れ規制装置
２０ｃ…第３の実施の形態に係る流れ規制装置
２１…第１筒状部
２２…第２筒状部
２３…第１筒状部２１の中空通路部
２４…第２筒状部２２の中空通路部
３１…破線矢印
４１…流速規制用筒状部材
４２…中空通路部
５１…流速規制用筒状部材
５２…中空通路部
５２ａ…流路断面積の小さい箇所
【図１】
0003911348.tif 000002
【図２】
0003911348.tif 000003
【図３】
0003911348.tif 000004
【図４】
0003911348.tif 000005
【図５】
0003911348.tif 000006
【図６】
0003911348.tif 000007
【図７】
0003911348.tif 000008
【図８】
0003911348.tif 000009
【図９】
0003911348.tif 000010
【図１０】
0003911348.tif 000011